(57)【要約】【課題】キックプレートを、外観を損なうことなく、容易かつ確実に設置する。【解決手段】キックプレート３０が、ベース脚１１の上面に係支される上部フック３５と、ベース脚１１の内部空間に挿入される下部フック３６とにより係止されることで、ベース脚１１の前端面や側面に係止孔を形成することなく、キックプレート３０を連結する。キックプレート３０は、上部フック３５をベース脚１１の上面の係止孔３８に挿入した状態で、下面部３２側をベース脚１１、１１の先端部１１ｓ、１１ｓに接近させる方向に回動させることによって、下部フック３６をベース脚１１の内部空間に挿入する。【選択図】図６
2013154108.tif 000002
【特許請求の範囲】
【請求項１】
床面に沿って延び、前記床面上に間隔を隔てて二本一対で設置される中空筒状のベース脚と、
それぞれの前記ベース脚上に設けられて上方に延び、棚板が装着可能とされた支柱と、
互いに隣接する二本の支柱どうしを連結する連結部材と、
互いに隣接する二本のベース脚の先端部間に設けられたキックプレートと、
前記ベース脚の前記先端部の開口を塞ぐキャップと、を備え、
前記キックプレートは、
前記キックプレートの両端部において前記ベース脚の前記先端部の上面に沿うようそれぞれ突出し、前記ベース脚の先端部の上面に回転可能に支持される支持部と、
前記ベース脚の前記先端部の前記開口内に挿入され、当該ベース脚において前記キックプレート側に位置する内壁面に沿う挿入爪と、
を有することを特徴とする物品陳列棚。
【請求項２】
前記ベース脚の前記先端部の前記上面に係止孔が形成され、
前記支持部は、前記係止孔に挿入される係止突起を有することを特徴とする請求項１に記載の物品陳列棚。
【請求項３】
前記キャップは、前記ベース脚の前記開口内に前記キックプレートの前記挿入爪が挿入されたときに、前記挿入爪との干渉を避ける逃げ凹部を有していることを特徴とする請求項１または２に記載の物品陳列棚。
【請求項４】
請求項１から３のいずれか一項に記載の物品陳列棚における前記キックプレートの取付方法であって、
前記キックプレートを、当該キックプレートの両端部の前記支持部を前記ベース脚の先端部の上面にセットするとともに、前記キックプレートを傾斜させて前記挿入爪を前記ベース脚の前記先端部の前記開口に対向した状態とする工程と、
前記支持部を中心として前記キックプレートを回動させ、前記挿入爪を前記ベース脚の前記開口内に挿入する工程と、
前記キャップを前記ベース脚の前記先端部の前記開口に装着する工程と、
を有することを特徴とする物品陳列棚におけるキックプレートの取付方法。
【発明の詳細な説明】
【技術分野】
【０００１】
本発明は、店舗等において物品の展示のために設置される物品陳列棚、物品陳列棚におけるキックプレートの取付方法に関する。
【背景技術】
【０００２】
店舗において商品等の物品を展示するための物品陳列棚は、その設置や移動、ディスプレイ方法の変更等を容易に行えるよう、支柱、脚、棚板等からなる組立式のものが多用されている。
【０００３】
このような陳列棚においては、最下段の棚板の下方空間を閉塞するため、キックプレートと称される部材が設けられることがある。
キックプレートは、その両端部が、床面上に設置される一対のベース脚の前端部に連結される。これには、各ベース脚の前端部にスリット状の係止孔が形成され、キックプレートの両端部にそれぞれ形成されたフックを、係止孔に係止させる（例えば、特許文献１参照。）。
【０００４】
ベース脚の前端部の開口に、キャップを装着し、このキャップにキックプレートを係止させることもできる（例えば、特許文献２参照。）。この場合、このキャップに、前面に係止孔を有したものと、係止孔のないものとを用意しておき、キックプレートを備える場合には、係止孔を有したキャップをベース脚に装着して、係止孔にキックプレートの端部を係止させる。そして、キックプレートを備えない場合には、係止孔のないキャップをベース脚に装着する。
【先行技術文献】
【特許文献】
【０００５】
【特許文献１】特許第４０２３６４１号公報
【特許文献２】特許第３４７７６０４号公報
【発明の概要】
【発明が解決しようとする課題】
【０００６】
しかし、上記特許文献１に示された構成では、物品陳列棚にキックプレートを備えない構成とした場合、ベース脚の前端部に係止孔が露出してしまい、外観が損なわれてしまう。
【０００７】
これに対し、特許文献２に示された構成では、キャップを、キックプレートの有無に応じて付け替えることで、キックプレートを備えない場合にもベース脚の前端部に係止孔が露出せず、外観を損なうことがない。しかし、このような構成では、キャップを２種類用意しておかなければならず、手間とコストがかかる。また、部品手配時に、キャップの種類を間違えると、組立現場において、キックプレートが連結できなかったりする、といった不具合が生じることもある。
【０００８】
そこでなされた本発明は、キックプレートを、外観を損なうことなく容易かつ確実に設置することのできる物品陳列棚、物品陳列棚におけるキックプレートの取付方法を提供することである。
【課題を解決するための手段】
【０００９】
本発明は、上記課題を解決するため、以下の手段を採用する。
すなわち、本発明の物品陳列棚は、床面に沿って延び、床面上に間隔を隔てて二本一対で設置される中空筒状のベース脚と、それぞれのベース脚上に設けられて上方に延び、棚板が装着可能とされた支柱と、互いに隣接する二本の支柱どうしを連結する連結部材と、互いに隣接する二本のベース脚の先端部間に設けられたキックプレートと、ベース脚の先端部の開口を塞ぐキャップと、を備え、キックプレートは、キックプレートの両端部においてベース脚の先端部の上面に沿うようそれぞれ突出し、ベース脚の先端部の上面に回転可能に支持される支持部と、ベース脚の先端部の開口内に挿入され、当該ベース脚においてキックプレート側に位置する内壁面に沿う挿入爪と、を有することを特徴とする。
【００１０】
このような物品陳列棚において、キックプレートを取り付けるには、その両端部の支持部をベース脚の先端部の上面に回転可能に支持した状態で、キックプレートを傾斜させ、その下方をベース脚の先端部から離間させておく。そして、この後、キックプレートを、支持部を中心として回動させ、キックプレートの下方をベース脚の先端部に接近させ、挿入爪をベース脚の内部空間に挿入する。
この状態で、キャップを装着することにより、ベース脚の前面や側面にキックプレートを係止することなく、キックプレートを取り付けることができる。
また、キックプレートを傾斜した状態から支持部を中心として回動させることにより、挿入爪をベース脚の内部空間に挿入するときに、キックプレートを安定した状態で回動させることができる。これにより、挿入爪の挿入を容易かつ確実に行える。
【００１１】
このような構成において、ベース脚の先端部の上面に係止孔が形成され、支持部は、係止孔に挿入される係止突起を有することを特徴とすることもできる。
係止突起が係止孔に挿入されることにより、キックプレートが両側のベース脚を結ぶ方向にずれるのを防ぐことができ、挿入爪の挿入を確実に行うことができる。
【００１２】
また、キャップは、ベース脚の開口内にキックプレートの挿入爪が挿入されたときに、挿入爪との干渉を避ける逃げ凹部を有していることを特徴とすることもできる。
【００１３】
このようなキャップは、ベース脚にキックプレートが取り付けられている時であっても、ベース脚にキックプレートが取り付けられていない場合であっても、ベース脚に装着することができる。
【００１４】
また、本発明は、上記した物品陳列棚におけるキックプレートの取付方法であって、キックプレートを、当該キックプレートの両端部の支持部をベース脚の先端部の上面にセットするとともに、キックプレートを傾斜させて挿入爪をベース脚の先端部の開口に対向した状態とする工程と、支持部を中心としてキックプレートを回動させ、挿入爪をベース脚の開口内に挿入する工程と、キャップをベース脚の先端部の開口に装着する工程と、を有することを特徴とすることもできる。
【発明の効果】
【００１５】
本発明によれば、ベース脚の前面や側面に係止孔を係止することなく、キックプレートを取り付けることができる。また、キックプレートを傾斜した状態から支持部を中心として回動させることにより、挿入爪をベース脚の内部空間に挿入するときに、キックプレートを安定した状態で回動させることができ、挿入爪の挿入を容易かつ確実に行える。そして、ベース脚の開口部にはキャップを装着するので、外観を損なうことがない。このようにして、キックプレートを、外観を損なうことなく、容易かつ確実に設置することのできる
また、一種類のキャップにより、キックプレートの有無にかかわらずベース脚の先端部に装着することができる。これにより、一層のコスト低減を図ることができる。
【図面の簡単な説明】
【００１６】
【図１】本実施形態に係る物品陳列棚の外観を示す斜視図である。
【図２】下部連結部材を示す正面図である。
【図３】上部連結部材を示す正面図である。
【図４】物品陳列棚のベース脚およびキックプレートを示す斜視図である。
【図５】ベース脚およびキックプレートの斜視図である。
【図６】キックプレートを取り付けるためにキックプレートを傾斜させた状態を示す斜視図である。
【図７】キックプレートを傾斜状態から回動させてベース脚に係止させた状態を示す斜視図である。
【発明を実施するための形態】
【００１７】
以下、添付図面を参照して、本発明による物品陳列棚を実施するための最良の形態を説明する。しかし、本発明はこれらの実施例のみに限定されるものではない。
図１に示すように、物品陳列棚１０は、床面上に間隔を隔てて互いに平行に二本一対で設置される中空筒状のベース脚１１と、各ベース脚１１から立設される一対の支柱１２、１２と、一対の支柱１２、１２の下部どうしを互いに連結する下部連結材（連結部材）１３と、一対の支柱１２、１２の上部どうしを互いに連結する上部連結材（連結部材）１４と、を備えている。
【００１８】
ベース脚１１は、床面に沿って延びる断面矩形の筒状で、先端部１１ｓが前側に開口し、その下面１１ａに床面に接地するパッド１５を備えている。
【００１９】
支柱１２は、断面矩形の筒状で、その前後面１２ｆ、１２ｒに、棚板等を係止して装着可能とするため、長手方向に所定の間隔をあけて略矩形状の係止孔１６が複数貫通形成されている。ここで、係止孔１６は、支柱の前後面１２ｆ、１２ｒの幅方向に２列に形成されている。これは、支柱１２の幅方向両側に棚板等のオプション部材が係止できるようにするためである。
また、支柱１２は、その両側面１２ａ、１２ｂに、下部連結材１３、上部連結材１４等を係止するため、長手方向に所定の間隔をあけて略矩形状の係止孔１７Ａやスリット１７Ｂが複数貫通形成されている。
【００２０】
図２に示すように、下部連結材１３は、断面矩形の筒状をなした連結バー１８と、連結バー１８の両端部に設けられた係止金具１９と、が一体に設けられている。
係止金具１９は、連結バー１８の少なくとも両側面に溶接されたプレート１９ａ，１９ａと、プレート１９ａ、１９ａに突出形成された係止フック１９ｂ、１９ｂと、を有する。そして、下部連結材１３は、両端に突出形成された係止フック１９ｂ、１９ｂを両側の支柱１２、１２の係止孔１７Ａ、１７Ａに係止させることにより、両側の支柱１２、１２をその下部どうしにおいて互いに連結する。
【００２１】
図３に示すように、上部連結材１４は、断面矩形の筒状をなした連結バー２０と、連結バー２０の両端部に設けられた係止金具２１と、が一体に設けられている。
係止金具２１は、連結バー２０の少なくとも両側面に溶接されたプレート２１ａ，２１ａと、プレート２１ａ、２１ａに突出形成された係止フック２１ｂ、２１ｂと、を有する。そして、上部連結材１４は、両端に突出形成された係止フック２１ｂ、２１ｂを両側の支柱１２、１２のスリット１７Ｂ、１７Ｂに係止させることにより、両側の支柱１２、１２をその上部どうしにおいて互いに連結する。
【００２２】
さて、図４に示すように、このような物品陳列棚１０において、互いに隣接するベース脚１１、１１の先端部１１ｓ、１１ｓ間には、キックプレート３０が架け渡されている。
ここで、図４、図５に示すように、キックプレート３０は、ベース脚１１、１１間に設置した状態で、ベース脚１１、１１の上面１１ｂと略同一面をなす上面部３１と、ベース脚１１、１１の下面１１ａと略同一面をなす下面部３２と、上面部３１および下面部３２の間に形成され、床面に直交する前面部３３とからなる断面略Ｃ字状とされている。
【００２３】
キックプレート３０の両端部には、キックプレート３０をベース脚１１、１１に係止させるための係止部３４が形成されている。
係止部３４は、ベース脚１１の上面に係止される上部フック（支持部）３５と、ベース脚１１におけるキックプレート３０側の内壁面に係止される下部フック（挿入爪）３６と、を有する。
【００２４】
上部フック３５は、上面部３１に連続して、下面部３２および前面部３３の端部３２ａ、３３ａよりもキックプレート３０の長手方向に突出するプレート部３５ａと、プレート部３５ａの先端部から直交して下方に折り曲げ形成された係止爪（係止突起）３５ｂとからなる。
ここで、係止爪３５ｂは、その先端面が、下方に凸となる湾曲面３５ｃにより形成されている。
【００２５】
下部フック３６は、前面部３３の端部３３ａから直交して後方に折り曲げ形成されている。この下部フック３６は、上面部３１と下面部３２とを結ぶ方向に一定長を有して形成されている。
【００２６】
このような係止部３４の上部フック３５を係止させるため、ベース脚１１の先端部１１ｓの上面１１ｂには、ベース脚１１の長手方向に延びる係止孔３８が形成されている。
この係止孔３８は、ベース脚１１の両側に、それぞれキックプレート３０を係止できるよう、ベース脚１１の幅方向に間隔を隔てて二個一対が形成されている。
【００２７】
そして、キックプレート３０は、その両端部のそれぞれにおいて、係止部３４の上部フック３５をベース脚１１の係止孔３８に挿入し、下部フック３６をベース脚１１の内周側面１１ｃに沿わせた状態で、ベース脚１１に係止される。
【００２８】
キックプレート３０の両端部を、それぞれ上記のようにベース脚１１に係止させるには、図６に示すように、キックプレート３０を、上面部３１をベース脚１１の先端部１１ｓに近接させ、上面部３１に対して下面部３２が前側に位置するように、下面部３２をベース脚１１の先端部１１ｓから離間させた状態に傾斜させる。
この状態で、上面部３１の両端部に形成された上部フック３５の係止爪３５ｂを、両側のベース脚１１の上面１１ｂに形成された係止孔３８に上方から挿入する。このとき、係止爪３５ｂは、その先端面が湾曲面３５ｃとされているので、係止孔３８に引っ掛かることなく円滑に挿入できる。
すると、これにより、キックプレート３０は、係止爪３５ｂ、３５ｂと係止孔３８、３８との係合により、その長手方向（物品陳列棚１０の幅方向）への移動が規制された状態となる。
【００２９】
図７に示すように、この状態から、キックプレート３０を、両端部の係止爪３５ｂと係止孔３８との係止部分を中心として、キックプレート３０の長手方向に沿う軸回りに、下面部３２側をベース脚１１の先端部１１ｓに接近させる方向に回転させる。
すると、下部フック３６が、ベース脚１１の内部空間に入り込み、その内周側面１１ｃに沿った状態となる。
そして、キックプレート３０の前面部３３の端部３３ａがベース脚１１の先端部１１ｓに突き当たることで、その回動が規制される。
これにより、キックプレート３０は、上面部３１がベース脚１１の上面１１ｂと略同一面をなし、下面部３２がベース脚１１の下面１１ａと略同一面をなし、前面部３３が床面に直交して位置する。
【００３０】
このようにして設けられたベース脚１１、１１と、下部連結材１３と、キックプレート３０の上面には、物品陳列棚１０において最下段の棚板を載置することができる。この場合、キックプレート３０により、最下段の棚板の下方において、ベース脚１１、１１の先端部１１ｓ、１１ｓ間の空間（隙間）を閉塞することができる。
【００３１】
さて、図５に示すように、キックプレート３０の係止部３４が係止された各ベース脚１１の先端部１１ｓの開口には、キャップ４０を装着することができる。このキャップ４０は、ベース脚１１を断面視したときの外形寸法とほぼ同寸法に形成されたプレート部４１と、このプレート部４１からその表面に直交する方向に延び、ベース脚１１の内周面に嵌合される嵌合部４２と、が一体に形成された構成を有している。
嵌合部４２には、前記のキックプレート３０の下部フック３６との干渉を避けるため、断面方向内周側に凹となる逃げ凹部４３が形成されている。なお、この逃げ凹部４３は、嵌合部４２をベース脚１１の先端部１１ｓに挿入したときに、下部フック３６をベース脚１１の内周側面１１ｃに押し付けるような寸法に形成するのも好ましい。
【００３２】
このようなキャップ４０は、プレート部４１がベース脚１１の先端部１１ｓに突き当たるまで、嵌合部４２がベース脚１１の先端部の内部空間に挿入される。
このようにキャップ４０がベース脚１１の先端部に装着されることにより、キックプレート３０の係止部３４が固定され、不用意な回動や脱落が防止される。
【００３３】
上述したような構成によれば、キックプレート３０が、ベース脚１１の上面１１ｂに係支される上部フック３５と、ベース脚１１の内部空間に挿入される下部フック３６とにより係止されることで、ベース脚１１の前端面や側面に係止孔を形成することなく、キックプレート３０を連結することができる。これにより、外観を向上させることができる。
【００３４】
また、キックプレート３０は、上部フック３５をベース脚１１の上面１１ｂの係止孔３８に挿入した状態で、下面部３２側をベース脚１１、１１の先端部１１ｓ、１１ｓに接近させる方向に回動させることによって、下部フック３６をベース脚１１の内部空間に挿入するようにした。これにより、キックプレート３０は、その両端部がベース脚１１、１１の上面１１ｂ、１１ｂによって仮固定されて安定した状態となるので、キックプレート３０を回動させたときに、両側の下部フック３６、３６がベース脚１１の内部空間にスムーズに入り込む。これにより、キックプレート３０の装着を容易かつ確実に行うことができる。
【００３５】
さらに、キャップ４０は、キックプレート３０の下部フック３６との干渉を防ぐ逃げ凹部４３が形成されているので、キックプレート３０を備えた場合であっても、キックプレート３０を備えない場合であっても、一種類のキャップ４０で対応することができる。これにより、部品の種類を抑えて低コスト化が図れるとともに、キャップ４０の装着間違いや、部品手配間違いが生じるのを回避することができる。
【００３６】
（その他の実施形態）
なお、本発明の物品陳列棚は、図面を参照して説明した上述の各実施形態に限定されるものではなく、その技術的範囲において様々な変形例が考えられる。
例えば、キックプレート３０は、ベース脚１１の上面１１ｂ上において上部フック３５を中心として回動可能であれば、例えば、係止孔３８と係止爪３５ｂの係合は必須ではない。
また、下部フック３６がベース脚１１の内周側面１１ｃに沿うようにしたが、これに限らず、下部フック３６は内周側面１１ｃから離間した位置に配置されても良い。
ただし、係止孔３８と係止爪３５ｂとの係合や、下部フック３６と内周側面１１ｃとの接触により、キックプレート３０がその長手方向に移動するのを規制できるため、これらの構成をなるべく採用するのが好ましい。
【００３７】
さらに、例えば、支柱１２には、棚板に限らず、他の様々なオプション部品を装着することができる。
また、上記実施形態では、物品陳列棚１０は、二本の支柱１２，１２のみを備える構成としたが、三本以上の支柱１２を併設し、互いに隣接する二本の支柱１２、１２間を下部連結材１３、上部連結材１４で連結して棚板を設けるようにしても良い。
これ以外にも、本発明の主旨を逸脱しない限り、上記実施の形態で挙げた構成を取捨選択したり、他の構成に適宜変更することが可能である。
【符号の説明】
【００３８】
１０  物品陳列棚
１１  ベース脚
１１ａ      下面
１１ｂ      上面
１１ｃ      内周側面
１１ｄ      内周上面
１１ｅ      内周下面
１１ｓ      先端部
１２  支柱
１３  下部連結材（連結部材）
１４  上部連結材（連結部材）
３０  キックプレート
３１  上面部
３２  下面部
３３  前面部
３４  係止部
３５  上部フック（支持部）
３５ａ      プレート部
３５ｂ      係止爪（係止突起）
３５ｃ      湾曲面
３６  下部フック（挿入爪）
３８  係止孔
４０  キャップ
４１  プレート部
４２  嵌合部
４３  逃げ凹部
【図１】
2013154108.tif 000003
【図２】
2013154108.tif 000004
【図３】
2013154108.tif 000005
【図４】
2013154108.tif 000006
【図５】
2013154108.tif 000007
【図６】
2013154108.tif 000008
【図７】
2013154108.tif 000009